(57)【要約】  本発明は、両側にフランク（６、７）を備えた基部（５）を有するクランプストリップ（２）を有するプロファイルクランプに関する。フランク角αはフランク（６、７）間に囲まれ、締付けヘッド（３、４）はクランプストリップ（２）の各端部に配置される。均等な応力分布の場合、フランク角αは、クランプストリップ（２）の締付けヘッド（３、４）から締付けヘッド（３）と径方向に対向する領域まで減少し、次にその領域から他方の締付けヘッド（４）まで再び増加する。【選択図】図１
2021528616.tif 000002
【特許請求の範囲】
【請求項１】
両側にフランク（６、７）を備えた基部（５）を有するクランプストリップ（２）を備え、
フランク角αが前記フランク（６、７）間に囲まれ、締付けヘッド（３、４）が前記クランプストリップ（２）の各端部に配置され、
前記締付けヘッド（３、４）が締付けデバイスを介して互いに接続することができる、プロファイルクランプであって、
前記フランク角αが、前記クランプストリップ（２）の一方の締付けヘッド（３、４）から該締付けヘッド（３）と径方向に対向する領域まで減少し、次に前記領域から他方の締付けヘッド（４）まで再び増加する、プロファイルクランプ。
【請求項２】
前記フランク角αが連続的に、特に線形的または二次的に変化する、請求項１に記載のプロファイルクランプ。
【請求項３】
前記クランプストリップ（２）が、前記フランク（６、７）のカットアウト（８ａ、８ｂ、８ｃ）によって少なくとも２つの部分（２ａ、２ｂ、２ｃ、２ｄ）に分割され、
該部分（２ａ、２ｂ、２ｃ、２ｄ）が一体的に、前記基部（５）を介してまたはブリッジ要素を介して互いに接続される、請求項１または２に記載のプロファイルクランプ。
【請求項４】
前記クランプストリップ（２）が少なくとも３つの部分に分割され、
該部分のうちの少なくとも１つの前記フランク角αが、他の部分の前記フランク角αと異なる、請求項２に記載のプロファイルクランプ。
【請求項５】
前記締付けヘッド（３、４）が、前記クランプストリップ（２）と一体的に形成される、請求項１から４のいずれかに記載のプロファイルクランプ。
【発明の詳細な説明】
【技術分野】
【０００１】
本発明は、両側にフランクを備えた基部を有するクランプストリップを備え、フランク角がフランク間に囲まれ、締付けヘッドがクランプストリップの各端部に配置され、締付けヘッドが締付けデバイスを介して互いに接続される、プロファイルクランプに関する。
【背景技術】
【０００２】
プロファイルクランプは、多くの場合、軸線方向で固定された形で当接しているパイプ端部を互いに接続するのに使用される。径方向外向きに突出するフランジがパイプ端部に設けられ、プロファイルクランプがそのフランジ上に配置される。通常はＶ字形またはＵ字形である、プロファイルクランプのクランプストリップの対応するプロファイルを介して、プロファイルクランプが締め付けられると、径方向および軸線方向の締付け力が生じ、それによってパイプ端部が軸線方向で互いに圧迫される。これによって耐圧接続が得られる。
【０００３】
プロファイルクランプの好ましい使用領域は、自動車の産業分野であって、例えば排ガス管の固定だけでなく、エンジンベイ領域の他の加圧パイプ接続部の固定にも使用される。したがって、プロファイルクランプは、比較的広い温度範囲で長期間にわたって、信頼性高く適切な締付け力を生成させる必要がある。自動車のエンジンは益々小型化し、同時により一層厳しい排出制限を遵守しなければならないので、個々の構成要素の温度負荷は上昇し、したがって使用されるプロファイルクランプにも温度負荷がかかる。
【０００４】
必要な信頼性を確保するため、第一に、比較的高い締付け力を加える必要があり、第二に、その力をプロファイルクランプ全体にわたって可能な限り均等に分散させる必要がある。このようにして、温度変動によって締付け力が減少するリスクを低く抑えることができる。
【発明の概要】
【発明が解決しようとする課題】
【０００５】
本発明は、可能な限り均等な応力分布を可能にする、プロファイルクランプを提供することを目的とする。更に、高い締付け力が生成される。
【課題を解決するための手段】
【０００６】
この目的は、請求項１の特徴を有するプロファイルクランプによって達成される。有利な実施形態は下位請求項に記載されている。
【０００７】
両側にフランクを備えた基部を有するクランプストリップを備え、フランク角がフランク間に囲まれ、締付けヘッドがクランプストリップの各端部に配置され、締付けヘッドが締付けデバイスを介して互いに接続することができる、プロファイルクランプにおいて、本発明によれば、フランク角は、クランプストリップの一方の締付けヘッドから締付けヘッドと径方向に対向する領域まで減少し、次にその領域から他方の締付けヘッドまで再び増加する。
【０００８】
この設計により、応力分布が良好になり、より均等になる。この設計は、プロファイルクランプの締め付けの際に、締付けヘッドに隣接するクランプストリップの領域が、パイプ端部のフランジに対して、締付けヘッド対向して配置された領域よりも大きく動くという事実を利用している。クランプストリップとフランジとの間のこの相対移動中に生じる摩擦は、動きが小さいかまたは動きがない領域よりも、より大きく動く領域の締付け力に対して大きな影響を及ぼす。これは、締付けヘッドから始まるフランク角が減少する、即ちフランクがより急勾配になるという点で、本発明により考慮される。したがって、より急勾配のフランクの領域では、これらは平坦なフランクの領域よりも先にフランジに接するため、急勾配のフランクの領域に先に力が導入されることとなる。したがって、全体としては、より高い締付け力が得られるだけでなく、応力分布がより均等になるので、温度変動によって引き起こされる長さの変化をより良く補償することができる。
【０００９】
本発明によれば、フランク角は連続的に、特に線形的または二次的に変化する。フランク角の連続的変化によって、応力ピークが回避され、より均等な応力分布を達成する。
【００１０】
好ましい実施形態では、クランプストリップは、フランクのカットアウトによって少なくとも２つの部分に分割され、部分は一体的に、またはブリッジ要素を介して互いに接続される。クランプストリップのこの分割は、プロファイルクランプに比較的大きい可撓性を与えるので、パイプ端部のフランジ上に容易に配置することができるよう十分に広さに開くことができる。二分割のクランプストリップでは、カットアウトは通常、締付けヘッドと対向している。
【００１１】
好ましくは、クランプストリップは少なくとも３つの部分に分割され、部分のうちの少なくとも１つのフランク角は、他の部分のフランク角と異なる。したがって、例えば、締付けヘッドに隣接した２つの部分は、それら２つの部分を接続するクランプストリップの第３の部分よりも平坦な同じフランク角を有する。かかる設計により、部分を比較的容易に事前に構成し、次にブリッジ要素を介して互いに接続することができる。
【００１２】
好ましくは、締付けヘッドはクランプストリップと一体的に形成される。したがって、締付けヘッドは、クランプストリップの端部を径方向外側に曲げることによって作成され、このようにして、比較的高い締付け力を締付けデバイスからクランプストリップ上へと伝達することができる。
【００１３】
本発明の更なる特徴、詳細、および利点は、特許請求の範囲の文言によって、また図面を参照する例示的な実施形態の以下の説明によってもたらされる。
【図面の簡単な説明】
【００１４】
【図１】プロファイルクランプの側面図である。
【図２】クランプストリップの断面図である。
【発明を実施するための形態】
【００１５】
図１は、この例示的実施形態では、４つの部分２ａ、２ｂ、２ｃ、２ｄを備えるクランプストリップ２を有する、プロファイルクランプ１を示している。クランプストリップ２の端部には、締付けデバイス（図示せず）、特に締付けねじを介して、互いに接続可能な締付けヘッド３、４が形成される。この締付けデバイスを締め付けることによって、締付けヘッド３、４は互いに向かって移動し、プロファイルクランプ１の直径が低減される。
【００１６】
クランプストリップ２は、基部５とその軸線方向縁部の両側のフランク６、７とを有し、それらの間にフランク角αが形成される、実質的にＶ字形のプロファイルを有する（図２）。このフランク角αは、プロファイルクランプの円周全体にわたって連続的に変化する。このフランク角αは、締付けヘッド３、４の領域を起点として減少し、締付けヘッド３、４に隣接した領域よりも締付けヘッドに対向するフランクが径方向により急勾配で立つようにする。
【００１７】
クランプストリップ２の十分な可撓性を達成するため、カットアウト８ａ、８ｂ、８ｃが、部分２ａ〜２ｄの間でフランクに形成される。これらのカットアウト８ａ、８ｂ、８ｃは、ブリッジ要素を介して、またはクランプストリップ２の一体的な連続した基部５を介して繋げられる。したがって、カットアウト８ａ、８ｂ、８ｃは、ブリッジ要素または基部とともに材料ばめ接合部を形成し、これを介してプロファイルクランプ１を広げることができる。
【００１８】
本発明は、上述した実施形態のうちの１つに限定されるものではなく、多くの方法で修正することができる。したがって、クランプストリップは、特に、異なる数の部分から構成されてもよく、例えば、材料ばめ接合部を介して互いに接続される２つの部分から構成されてもよい。クランプストリップの各部分は、連続的に増加または減少するフランク角の代わりに、一定のフランク角を有してもよい。
【００１９】
設計上の詳細、空間的配置、および方法ステップを含む、特許請求の範囲、明細書、および図面によってもたらされる全ての特徴および利点は、単独で、また様々な組み合わせで、本発明に必須のものであってもよい。
【符号の説明】
【００２０】
１  プロファイルクランプ
２  クランプストリップ
２ａ  部分
２ｂ  部分
２ｃ  部分
２ｄ  部分
３  締付けヘッド
４  締付けヘッド
５  基部
６  フランク
７  フランク
８ａ  カットアウト
８ｂ  カットアウト
８ｃ  カットアウト
【図１】
2021528616.tif 000003
【図２】
2021528616.tif 000004
【国際調査報告】
2021528616.tif 000005
2021528616.tif 000006
2021528616.tif 000007
2021528616.tif 000008